(57)【要約】【課題】端子金具の接続作業性と接続状態の保持力に優れ、かつ、既存の端子金具の適用も可能にすること。【解決手段】積層された一方の端子金具１０の電気接続体１１と他方の端子金具２０の電気接続体２１と電気接続部材３０の電気接続体３１の内の外側に配置された２つを外側から挟み込み、それぞれの外側の電気接続体１１，２１におけるそれぞれの外方露出面１１ｂ２，２１ｂ２に作用させた挟持力によって３つの電気接続体を電気的に接続させる金属製の端子接続部材４０を備え、端子接続部材は、一方の外側の電気接続体の外方露出面に弾発力を作用させる弾性変形可能な第１挟持体４１と、３つの電気接続体のそれぞれの貫通孔１１ａ，２１ａ，３１ａを介して第１挟持体に間接的に連結され、他方の外側の電気接続体の外方露出面に係止されて当該外方露出面に弾発力とは逆向きの押圧力を作用させる第２挟持体４２と、を有すること。【選択図】図１
2020021680.tif 000002
【特許請求の範囲】
【請求項１】
積層された一方の端子金具における平板状の電気接続体と他方の端子金具における平板状の電気接続体と導電性の電気接続部材における平板状の電気接続体の内の外側に配置された２つを外側から挟み込み、それぞれの外側の前記電気接続体におけるそれぞれの外方露出面に作用させた挟持力によって３つの前記電気接続体を電気的に接続させる金属製の端子接続部材を備え、
前記端子接続部材は、一方の外側の前記電気接続体の平板部における一方の前記外方露出面に弾発力を作用させる弾性変形可能な第１挟持体と、３つの前記電気接続体のそれぞれの貫通孔を介して前記第１挟持体に直接的又は間接的に連結され、他方の外側の前記電気接続体の平板部における他方の前記外方露出面に係止されて当該他方の外方露出面に前記弾発力とは逆向きの押圧力を作用させる第２挟持体と、を有することを特徴とした端子接続構造。
【請求項２】
前記第２挟持体は、前記一方の外側の電気接続体側からのそれぞれの前記貫通孔への挿通に際して撓みが発生すると共に、それぞれの前記貫通孔を通り抜けた際に前記撓みが解消する弾性を有する形状で、かつ、前記撓みの解消と共に前記他方の外方露出面に係止される形状に形成することを特徴とした請求項１に記載の端子接続構造。
【請求項３】
前記第２挟持体は、長片部、短片部並びに前記長片部及び前記短片部を繋ぐ弧状片部を有するＪ字形状で、かつ、前記長片部における前記弧状片部とは逆側の端部を前記第１挟持体に直接的又は間接的に連結して、前記短片部における前記弧状片部とは逆側の端部を前記他方の外方露出面に係止させる片持ち形状、又は、前記Ｊ字形状で、かつ、前記短片部における前記弧状片部とは逆側の端部を前記第１挟持体に間接的に連結して、前記長片部における前記弧状片部とは逆側の端部を前記他方の外方露出面に係止させる片持ち形状、又は、２つの片部及び２つの前記片部を繋ぐ弧状片部を有するＵ字形状で、かつ、一方の前記片部における前記弧状片部とは逆側の端部を前記第１挟持体に間接的に連結して、他方の前記片部における前記弧状片部とは逆側の端部を前記他方の外方露出面に係止させる片持ち形状に形成することを特徴とした請求項２に記載の端子接続構造。
【請求項４】
前記第１挟持体は、Ｃ環状で、かつ、外周縁側を前記一方の外方露出面に接触させると共に内周縁側を前記一方の外方露出面から浮かせた傘形状に形成することを特徴とした請求項１，２又は３に記載の端子接続構造。
【請求項５】
前記端子接続部材は、前記一方の外側の電気接続体における前記貫通孔と前記一方の外方露出面とに間隔を空けて対向配置され、複数の前記第１挟持体を支持すると共に、複数の前記第２挟持体を支持する支持体を有することを特徴とした請求項１，２又は３に記載の端子接続構造。
【請求項６】
前記第１挟持体は、長片部、短片部並びに前記長片部及び前記短片部を繋ぐ弧状片部を有するＪ字形状で、かつ、自らの前記長片部における自らの前記弧状片部とは逆側の端部を前記支持体に連結して、自らの前記弧状片部から前記一方の外方露出面に前記弾発力を作用させる片持ち形状に形成することを特徴とした請求項５に記載の端子接続構造。
【請求項７】
一方の端子金具、他方の端子金具及び導電性の電気接続部材を収容する筐体と、
積層された前記一方の端子金具における平板状の電気接続体と前記他方の端子金具における平板状の電気接続体と前記電気接続部材における平板状の電気接続体の内の外側に配置された２つを外側から挟み込み、それぞれの外側の前記電気接続体におけるそれぞれの外方露出面に作用させた挟持力によって３つの前記電気接続体を電気的に接続させる金属製の端子接続部材と、
を備え、
前記端子接続部材は、一方の外側の前記電気接続体の平板部における一方の前記外方露出面に弾発力を作用させる弾性変形可能な第１挟持体と、３つの前記電気接続体のそれぞれの貫通孔を介して前記第１挟持体に直接的又は間接的に連結され、他方の外側の前記電気接続体の平板部における他方の前記外方露出面に係止されて当該他方の外方露出面に前記弾発力とは逆向きの押圧力を作用させる第２挟持体と、を有することを特徴とした電気接続箱。
【請求項８】
一方の端子金具と、
他方の端子金具と、
導電性の電気接続部材と、
前記一方の端子金具、前記他方の端子金具及び前記電気接続部材を収容し且つ電線を内方から外方に引き出させる筐体と、
積層された前記一方の端子金具における平板状の電気接続体と前記他方の端子金具における平板状の電気接続体と前記電気接続部材における平板状の電気接続体の内の外側に配置された２つを外側から挟み込み、それぞれの外側の前記電気接続体におけるそれぞれの外方露出面に作用させた挟持力によって３つの前記電気接続体を電気的に接続させる金属製の端子接続部材と、
を備え、
前記端子接続部材は、一方の外側の前記電気接続体の平板部における一方の前記外方露出面に弾発力を作用させる弾性変形可能な第１挟持体と、３つの前記電気接続体のそれぞれの貫通孔を介して前記第１挟持体に直接的又は間接的に連結され、他方の外側の前記電気接続体の平板部における他方の前記外方露出面に係止されて当該他方の外方露出面に前記弾発力とは逆向きの押圧力を作用させる第２挟持体と、を有することを特徴としたワイヤハーネス。
【発明の詳細な説明】
【技術分野】
【０００１】
本発明は、端子接続構造、電気接続箱及びワイヤハーネスに関する。
【背景技術】
【０００２】
従来、端子金具を相手方の接続対象物に物理的且つ電気的に接続させるための端子接続構造が知られている。その端子接続構造としては、例えば、端子金具と接続対象物とを螺子部材で共締め固定する構造のものが知られている。この種の端子接続構造については、下記の特許文献１から３に開示されている。
【先行技術文献】
【特許文献】
【０００３】
【特許文献１】特開２００４−２０７０７７号公報
【特許文献２】特開２００６−２６１０１２号公報
【特許文献３】特開平１１−２５０９５０号公報
【特許文献４】特開２００７−１２２９１６号公報
【発明の概要】
【発明が解決しようとする課題】
【０００４】
ところで、螺子部材を用いる端子接続構造は、端子金具や接続対象物の貫通孔に雄螺子部材を挿通させるなど、多くの作業工程を必要とする。このため、上記の特許文献１から３には、端子金具の接続作業性の向上を目的とした端子接続構造についても開示されている。特許文献１の端子接続構造においては、端子金具の電気接続部から可撓片を突出させ、その可撓片を接続対象物の貫通孔に挿通させることによって、電気接続部と可撓片とで接続対象物を挟み込んでいる。これと同様の端子接続構造は、上記の特許文献４にも開示されている。また、特許文献２の端子接続構造においては、端子金具の電気接続部に設けた可撓片で電気接続部を接続対象物に仮保持し、電気接続部と接続対象物のそれぞれの貫通孔にバンドクランプの係止羽根を差し込むことによって、バンドクランプの係止羽根と皿状部とで電気接続部と接続対象物とを挟み込んでいる。また、特許文献３の端子接続構造においては、端子金具の電気接続部の貫通孔の中で周方向に配置される複数の拡開片をバッテリポストが有しており、圧入した楔部材で各拡開片を貫通孔の内周面に圧接させることによって、電気接続部をバッテリポストに接続させる。しかしながら、特許文献１，２及び４の端子接続構造は、それぞれに専用の端子金具を用意しなければならない。また、特許文献２の端子接続構造は、樹脂製のバンドクランプを用いているので、電気接続部と接続対象物の接続状態を保ち続けるという観点で改善の余地がある。また、特許文献３の端子接続構造は、バッテリポストと楔部材の２つの部品が必要であり、端子金具の接続作業性を向上させるという点で改善の余地がある。
【０００５】
そこで、本発明は、端子金具の接続作業性と接続状態の保持力に優れ、かつ、既存の端子金具の適用も可能な端子接続構造、電気接続箱及びワイヤハーネスを提供することを、その目的とする。
【課題を解決するための手段】
【０００６】
上記目的を達成する為、本発明に係る端子接続構造は、積層された一方の端子金具における平板状の電気接続体と他方の端子金具における平板状の電気接続体と導電性の電気接続部材における平板状の電気接続体の内の外側に配置された２つを外側から挟み込み、それぞれの外側の前記電気接続体におけるそれぞれの外方露出面に作用させた挟持力によって３つの前記電気接続体を電気的に接続させる金属製の端子接続部材を備え、前記端子接続部材は、一方の外側の前記電気接続体の平板部における一方の前記外方露出面に弾発力を作用させる弾性変形可能な第１挟持体と、３つの前記電気接続体のそれぞれの貫通孔を介して前記第１挟持体に直接的又は間接的に連結され、他方の外側の前記電気接続体の平板部における他方の前記外方露出面に係止されて当該他方の外方露出面に前記弾発力とは逆向きの押圧力を作用させる第２挟持体と、を有することを特徴としている。
【０００７】
ここで、前記第２挟持体は、前記一方の外側の電気接続体側からのそれぞれの前記貫通孔への挿通に際して撓みが発生すると共に、それぞれの前記貫通孔を通り抜けた際に前記撓みが解消する弾性を有する形状で、かつ、前記撓みの解消と共に前記他方の外方露出面に係止される形状に形成することが望ましい。
【０００８】
また、前記第２挟持体は、長片部、短片部並びに前記長片部及び前記短片部を繋ぐ弧状片部を有するＪ字形状で、かつ、前記長片部における前記弧状片部とは逆側の端部を前記第１挟持体に直接的又は間接的に連結して、前記短片部における前記弧状片部とは逆側の端部を前記他方の外方露出面に係止させる片持ち形状、又は、前記Ｊ字形状で、かつ、前記短片部における前記弧状片部とは逆側の端部を前記第１挟持体に間接的に連結して、前記長片部における前記弧状片部とは逆側の端部を前記他方の外方露出面に係止させる片持ち形状、又は、２つの片部及び２つの前記片部を繋ぐ弧状片部を有するＵ字形状で、かつ、一方の前記片部における前記弧状片部とは逆側の端部を前記第１挟持体に間接的に連結して、他方の前記片部における前記弧状片部とは逆側の端部を前記他方の外方露出面に係止させる片持ち形状に形成することが望ましい。
【０００９】
また、前記第１挟持体は、Ｃ環状で、かつ、外周縁側を前記一方の外方露出面に接触させると共に内周縁側を前記一方の外方露出面から浮かせた傘形状に形成することが望ましい。
【００１０】
また、前記端子接続部材は、前記一方の外側の電気接続体における前記貫通孔と前記一方の外方露出面とに間隔を空けて対向配置され、複数の前記第１挟持体を支持すると共に、複数の前記第２挟持体を支持する支持体を有することが望ましい。
【００１１】
また、前記第１挟持体は、長片部、短片部並びに前記長片部及び前記短片部を繋ぐ弧状片部を有するＪ字形状で、かつ、自らの前記長片部における自らの前記弧状片部とは逆側の端部を前記支持体に連結して、自らの前記弧状片部から前記一方の外方露出面に前記弾発力を作用させる片持ち形状に形成することが望ましい。
【００１２】
また、上記目的を達成する為、本発明に係る電気接続箱は、一方の端子金具、他方の端子金具及び導電性の電気接続部材を収容する筐体と、積層された前記一方の端子金具における平板状の電気接続体と前記他方の端子金具における平板状の電気接続体と前記電気接続部材における平板状の電気接続体の内の外側に配置された２つを外側から挟み込み、それぞれの外側の前記電気接続体におけるそれぞれの外方露出面に作用させた挟持力によって３つの前記電気接続体を電気的に接続させる金属製の端子接続部材と、を備え、前記端子接続部材は、一方の外側の前記電気接続体の平板部における一方の前記外方露出面に弾発力を作用させる弾性変形可能な第１挟持体と、３つの前記電気接続体のそれぞれの貫通孔を介して前記第１挟持体に直接的又は間接的に連結され、他方の外側の前記電気接続体の平板部における他方の前記外方露出面に係止されて当該他方の外方露出面に前記弾発力とは逆向きの押圧力を作用させる第２挟持体と、を有することを特徴としている。
【００１３】
また、上記目的を達成する為、本発明に係るワイヤハーネスは、一方の端子金具と、他方の端子金具と、導電性の電気接続部材と、前記一方の端子金具、前記他方の端子金具及び前記電気接続部材を収容し且つ電線を内方から外方に引き出させる筐体と、積層された前記一方の端子金具における平板状の電気接続体と前記他方の端子金具における平板状の電気接続体と前記電気接続部材における平板状の電気接続体の内の外側に配置された２つを外側から挟み込み、それぞれの外側の前記電気接続体におけるそれぞれの外方露出面に作用させた挟持力によって３つの前記電気接続体を電気的に接続させる金属製の端子接続部材と、を備え、前記端子接続部材は、一方の外側の前記電気接続体の平板部における一方の前記外方露出面に弾発力を作用させる弾性変形可能な第１挟持体と、３つの前記電気接続体のそれぞれの貫通孔を介して前記第１挟持体に直接的又は間接的に連結され、他方の外側の前記電気接続体の平板部における他方の前記外方露出面に係止されて当該他方の外方露出面に前記弾発力とは逆向きの押圧力を作用させる第２挟持体と、を有することを特徴としている。
【発明の効果】
【００１４】
本発明に係る端子接続構造は、第１挟持体が一方の外方露出面に弾発力を作用させると共に、第２挟持体が他方の外方露出面に押圧力を作用させるので、積層状態の３つの電気接続体を外側から挟み込み、それぞれの外側の電気接続体におけるそれぞれの外方露出面に挟持力を作用させることができる。よって、この端子接続構造は、その３つの電気接続体を電気的に接続させることができる。また、本発明に係る端子接続構造は、金属製の端子接続部材を備えており、合成樹脂製のものと比較して、高い挟持力で３つの電気接続体を挟み込みことができると共に、外力による過度の変形が生じ難く、かつ、経年変化にも強いので、３つの電気接続体に対する挟持力を保ち続けることができる。また、本発明に係る端子接続構造は、積層状態にある３つの電気接続体のそれぞれの貫通孔に第２挟持体を差し込んでいくだけで、その３つの電気接続体を外側から挟み込み、それぞれの外側の電気接続体におけるそれぞれの外方露出面に挟持力を作用させることができる。よって、この端子接続構造は、一方の端子金具と他方の端子金具と電気接続部材の接続作業性に優れたものであるといえる。また、本発明に係る端子接続構造は、かかる構成を採っているので、平板状の電気接続体に貫通孔が形成された既存の端子金具の適用をも可能にする。以上示したように、本発明に係る端子接続構造は、一方の端子金具と他方の端子金具と電気接続部材の接続作業性に優れており、これらの接続状態の保持力に優れており、かつ、既存の端子金具を適用することもできる。更に、本発明に係る電気接続箱及びワイヤハーネスは、その端子接続構造を備えているので、この端子接続構造が奏する効果を同様に得ることができる。
【図面の簡単な説明】
【００１５】
【図１】図１は、実施形態の端子接続構造、電気接続箱及びワイヤハーネスを示す分解斜視図である。
【図２】図２は、実施形態の端子接続構造、電気接続箱及びワイヤハーネスを示す斜視図である。
【図３】図３は、実施形態の端子接続構造を示す分解斜視図である。
【図４】図４は、実施形態の端子接続構造を示す斜視図である。
【図５】図５は、図４のＸ１−Ｘ１線断面図である。
【図６】図６は、実施形態の端子接続部材を示す斜視図である。
【図７】図７は、実施形態の端子接続部材を別角度から見た斜視図である。
【図８】図８は、変形例１の端子接続構造、電気接続箱及びワイヤハーネスを示す分解斜視図である。
【図９】図９は、変形例１の端子接続構造を示す斜視図である。
【図１０】図１０は、図９のＸ２−Ｘ２線断面図である。
【図１１】図１１は、変形例１の端子接続部材を示す斜視図である。
【図１２】図１２は、変形例１の端子接続部材を別角度から見た斜視図である。
【図１３】図１３は、変形例２の端子接続構造、電気接続箱及びワイヤハーネスを示す分解斜視図である。
【図１４】図１４は、変形例２の端子接続構造を示す斜視図である。
【図１５】図１５は、図１４のＸ３−Ｘ３線断面図である。
【図１６】図１６は、変形例２の端子接続部材を示す斜視図である。
【図１７】図１７は、変形例２の端子接続部材を別角度から見た斜視図である。
【図１８】図１８は、変形例３の端子接続構造、電気接続箱及びワイヤハーネスを示す分解斜視図である。
【図１９】図１９は、変形例３の端子接続構造を示す斜視図である。
【図２０】図２０は、図１９のＸ４−Ｘ４線断面図である。
【図２１】図２１は、変形例３の端子接続部材を示す斜視図である。
【図２２】図２２は、変形例３の端子接続部材を別角度から見た斜視図である。
【発明を実施するための形態】
【００１６】
以下に、本発明に係る端子接続構造、電気接続箱及びワイヤハーネスの実施形態を図面に基づいて詳細に説明する。尚、この実施形態によりこの発明が限定されるものではない。
【００１７】
［実施形態］
本発明に係る端子接続構造、電気接続箱及びワイヤハーネスの実施形態の１つを図１から図７に基づいて説明する。
【００１８】
図１から図７の符号１は、本実施形態の端子接続構造を示す。また、図１及び図２の符号ＪＢ１と符号ＷＨ１は、各々、その端子接続構造１を備えた本実施形態の電気接続箱と、この電気接続箱ＪＢ１を備えた本実施形態のワイヤハーネスと、を示す。
【００１９】
端子接続構造１とは、一方の端子金具１０と他方の端子金具２０と導電性の電気接続部材３０とを電気的に接続させるために用意されたものである（図１及び図３から図５）。
【００２０】
それぞれの端子金具１０，２０は、各々、金属等の導電性材料で成形する。例えば、それぞれの端子金具１０，２０は、各々、金属板を母材にしてプレス成形されている。この端子接続構造１において、それぞれの端子金具１０，２０は、各々、電線Ｗｅに対して物理的且つ電気的に接続されたものであってもよく、電子部品ＥＰが備えるものであってもよい。よって、それぞれの端子金具１０，２０は、それぞれに異なる電線Ｗｅに取り付けられたものであってもよく、それぞれに異なる電子部品ＥＰが備えるものであってもよく、一方が電線Ｗｅに取り付けられ且つ他方が電子部品ＥＰの備えるものであってもよい。ここでは、電線Ｗｅに取り付けられた一方の端子金具１０と、電子部品ＥＰが備える他方の端子金具２０と、を例に挙げて説明する（図１及び図３から図５）。
【００２１】
一方の端子金具１０は、平板状の電気接続体１１と、電線Ｗｅの端末に対して物理的且つ電気的に接続される電線接続体１２と、を有する（図１から図５）。電気接続体１１は、平板状に形成されたものであれば、如何様な形状のものであってもよい。この例示では、一方の端子金具１０に既存の所謂丸形端子を用いるので、電気接続体１１が円板状に形成されている。その電気接続体１１には、円形の貫通孔１１ａが形成されている（図１及び図３）。この電気接続体１１においては、その貫通孔１１ａの周囲が円環状の平板部１１ｂになっている。この例示の一方の端子金具１０は、電線接続体１２を電線Ｗｅの端末に圧着固定することによって、この電線接続体１２で加締められた電線Ｗｅの芯線Ｗｅａに対して電気的に接続させる。
【００２２】
他方の端子金具２０は、平板状の電気接続体２１を有する（図１から図５）。その電気接続体２１は、平板状に形成されたものであれば、如何様な形状のものであってもよい。この例示の電気接続体２１は、所謂雄タブ状に形成されており、電子部品ＥＰの本体ＥＰ０から突出させている（図１及び図３）。この電気接続体２１には、円形の貫通孔２１ａが形成されている。この電気接続体２１においては、その貫通孔２１ａの周囲が雄タブ状の平板部２１ｂになっている。
【００２３】
ここで、電子部品ＥＰとは、例えば、リレー、ヒューズ等の回路保護部品、コネクタなどのことを指している。本実施形態では、回路基板、電子制御ユニット（所謂ＥＣＵ）等の電子機器についても、電子部品ＥＰの一形態として考える。この例示の電子部品ＥＰは、回路保護部品であり、他方の端子金具２０と同等の形状の端子金具ＥＰ１が設けられている（図１及び図３）。
【００２４】
電気接続部材３０は、金属等の導電性材料で成形する。この電気接続部材３０は、金属板を母材にして板状にプレス成形された所謂バスバと称されるものである。この電気接続部材３０は、一方の端子金具１０と他方の端子金具２０とを電気的に接続させたり、それぞれの端子金具１０，２０をこれらと同電位になる電線や電子部品の端子金具（図示略）に対して電気的に接続させたりするために使用する。
【００２５】
この電気接続部材３０は、平板状の電気接続体３１を有する（図１から図５）。その電気接続体３１は、平板状に形成されたものであれば、如何様な形状のものであってもよい。この例示の電気接続体３１は、矩形に形成されている。この電気接続体３１には、円形の貫通孔３１ａが形成されている（図１及び図３）。この電気接続体３１においては、その貫通孔３１ａの周囲が矩形の平板部３１ｂになっている。
【００２６】
端子接続構造１は、一方の端子金具１０の電気接続体１１と他方の端子金具２０の電気接続体２１と電気接続部材３０の電気接続体３１とを積層状態で電気的に接続させる。それぞれの電気接続体１１，２１，３１は、如何様な順番で積み重ねられてもよい。また、それぞれの電気接続体１１，２１，３１は、各々の貫通孔１１ａ，２１ａ，３１ａが積層方向で一列に並べて配置されるように、各々の平板部１１ｂ，２１ｂ，３１ｂを重ね合わせる。この例示では、一方の端子金具１０の電気接続体１１と他方の端子金具２０の電気接続体２１との間に電気接続部材３０の電気接続体３１を介在させている。よって、ここでは、電気接続体１１の平板部１１ｂにおける一方の平面１１ｂ１と電気接続体３１の平板部３１ｂにおける一方の平面３１ｂ１とが対向配置されて重ね合わされ、かつ、電気接続体２１の平板部２１ｂにおける一方の平面２１ｂ１と電気接続体３１の平板部３１ｂにおける他方の平面３１ｂ２とが対向配置されて重ね合わされる（図３）。
【００２７】
この端子接続構造１は、その積層された電気接続体１１と電気接続体２１と電気接続体３１の内の外側に配置された２つを外側から挟み込む端子接続部材４０を備える（図１から図７）。この例示の端子接続部材４０は、一方の端子金具１０の電気接続体１１と他方の端子金具２０の電気接続体２１とを外側から挟み込む。端子接続部材４０は、それぞれの外側の電気接続体１１，２１におけるそれぞれの外方露出面１１ｂ２，２１ｂ２に作用させた挟持力によって、３つの電気接続体１１，２１，３１を電気的に接続させる（図５）。一方の外方露出面１１ｂ２とは、電気接続体１１の平板部１１ｂにおける他方の平面のことである。他方の外方露出面２１ｂ２とは、電気接続体２１の平板部２１ｂにおける他方の平面のことである。
【００２８】
端子接続部材４０は、その挟持力を保ち続けるために、合成樹脂材料よりも高剛性の材料で成形する。ここでは、端子接続部材４０を金属材料で成形する。この金属製の端子接続部材４０は、合成樹脂製のものと比較して、高い挟持力で３つの電気接続体１１，２１，３１を挟み込みことができる。更に、この金属製の端子接続部材４０は、合成樹脂製のものと比較して、外力による過度の変形が生じ難く、かつ、経年変化にも強いので、３つの電気接続体１１，２１，３１に対する挟持力を保ち続けることができる。
【００２９】
この端子接続部材４０は、一方の外側の電気接続体の平板部（ここでは、一方の端子金具１０における電気接続体１１の平板部１１ｂ）における一方の外方露出面１１ｂ２に弾発力を作用させる弾性変形可能な第１挟持体４１を有する（図１から図７）。その第１挟持体４１は、一方の外方露出面１１ｂ２側で当該外方露出面１１ｂ２に係止される。更に、この端子接続部材４０は、他方の外側の電気接続体の平板部（ここでは、他方の端子金具２０における電気接続体２１の平板部２１ｂ）における他方の外方露出面２１ｂ２に係止されて当該他方の外方露出面２１ｂ２に第１挟持体４１の弾発力とは逆向きの押圧力を作用させる第２挟持体４２を有する（図１、図３及び図５から図７）。その第２挟持体４２は、３つの電気接続体１１，２１，３１のそれぞれの貫通孔１１ａ，２１ａ，３１ａを介して第１挟持体４１に直接的又は間接的に連結される。
【００３０】
この端子接続部材４０は、第１挟持体４１における一方の外方露出面１１ｂ２への当接点を含む第１仮想平面と、第２挟持体４２における他方の外方露出面２１ｂ２への当接点を含む第２仮想平面と、の間の最短距離が、３つの電気接続体１１，２１，３１のそれぞれの平板部１１ｂ，２１ｂ，３１ｂの板厚の合計値よりも短くなるように成形する。第１仮想平面とは、一方の外方露出面１１ｂ２に平行な平面のことをいう。第２仮想平面とは、他方の外方露出面２１ｂ２に平行な平面のことをいう。これにより、端子接続部材４０においては、第１挟持体４１が一方の外方露出面１１ｂ２に係止され、かつ、第２挟持体４２が他方の外方露出面２１ｂ２に係止されているときに、第１挟持体４１が弾性変形して一方の外方露出面１１ｂ２に弾発力を作用させると共に、第２挟持体４２が他方の外方露出面２１ｂ２に押圧力を作用させる。従って、この端子接続部材４０は、積層状態の３つの電気接続体１１，２１，３１を外側から挟み込み、それぞれの外側の電気接続体１１，２１におけるそれぞれの外方露出面１１ｂ２，２１ｂ２に挟持力を作用させることができる。よって、この端子接続部材４０は、その３つの電気接続体１１，２１，３１を電気的に接続させることができる。
【００３１】
ここで、この端子接続部材４０においては、積層状態にある３つの電気接続体１１，２１，３１のそれぞれの貫通孔１１ａ，２１ａ，３１ａに第２挟持体４２を一方の外側の電気接続体（ここでは、一方の端子金具１０の電気接続体１１）側から挿通させる。そこで、第２挟持体４２は、その一方の端子金具１０の電気接続体１１側からのそれぞれの貫通孔１１ａ，２１ａ，３１ａへの挿通に際して撓みが発生すると共に、それぞれの貫通孔１１ａ，２１ａ，３１ａを通り抜けた際に撓みが解消する弾性を有する形状で、かつ、その撓みの解消と共に他方の外方露出面２１ｂ２に係止される形状に形成する。これにより、この端子接続部材４０においては、積層状態にある３つの電気接続体１１，２１，３１のそれぞれの貫通孔１１ａ，２１ａ，３１ａに第２挟持体４２を一方の端子金具１０の電気接続体１１側から挿通させ、それぞれの貫通孔１１ａ，２１ａ，３１ａを第２挟持体４２が通り抜けることによって、第１挟持体４１が一方の外方露出面１１ｂ２に係止され、かつ、第２挟持体４２が他方の外方露出面２１ｂ２に係止される。つまり、この端子接続部材４０は、積層状態にある３つの電気接続体１１，２１，３１のそれぞれの貫通孔１１ａ，２１ａ，３１ａに第２挟持体４２を差し込んでいくだけで、その３つの電気接続体１１，２１，３１を外側から挟み込み、それぞれの外側の電気接続体１１，２１におけるそれぞれの外方露出面１１ｂ２，２１ｂ２に挟持力を作用させることができる。従って、この端子接続部材４０は、一方の端子金具１０と他方の端子金具２０と電気接続部材３０の接続作業性に優れたものであるといえる。
【００３２】
また、この端子接続部材４０は、かかる構成を採っているので、平板状の電気接続体に貫通孔が形成された端子金具であるならば、それが専用品としての端子金具であろうが既存の端子金具（一方の端子金具１０）であろうが、その端子金具を接続対象として用いることができる。
【００３３】
具体的に、本実施形態の端子接続部材４０は、次のような形状に成形する。本実施形態の端子接続部材４０は、１つの第１挟持体４１と３つの第２挟持体４２とを有する（図６及び図７）。
【００３４】
第１挟持体４１は、Ｃ環状で、かつ、外周縁側を一方の外方露出面１１ｂ２に接触させると共に内周縁側を一方の外方露出面１１ｂ２から浮かせた傘形状に形成している（図６及び図７）。このＣ字型環状体の第１挟持体４１は、一方の外方露出面１１ｂ２に係止された外周縁側を支点にして、弾性域の範囲内で内周縁側を一方の外方露出面１１ｂ２に近づけることができる。この第１挟持体４１は、内周縁側が一方の外方露出面１１ｂ２に近づくように撓ませることによって、外周縁側から一方の外方露出面１１ｂ２に弾発力を作用させる。尚、第１挟持体４１は、円環状の傘形状に形成してもよい。
【００３５】
３つの第２挟持体４２は、第１挟持体４１の周方向に沿って等間隔に配置する。また、３つの第２挟持体４２は、第１挟持体４１から見て、各々同じ向きに突出させる。
【００３６】
第２挟持体４２は、例えば、長片部、短片部並びに長片部及び短片部を繋ぐ弧状片部を有するＪ字形状に形成する。このＪ字形状の第２挟持体４２は、長片部における弧状片部とは逆側の端部を第１挟持体４１に直接的又は間接的に連結して、短片部における弧状片部とは逆側の端部を他方の外方露出面２１ｂ２に係止させる片持ち形状に形成すればよい。この第２挟持体４２は、第１挟持体４１や貫通孔１１ａ，２１ａ，３１ａの径方向にて、長片部を径方向の内側に配置し、短片部を径方向の外側に配置する。この第２挟持体４２は、それぞれの貫通孔１１ａ，２１ａ，３１ａの内周面によって短片部が径方向の内側に押動され、その短片部が弧状片部側を支点にして撓みつつ、全体が長片部における弧状片部とは逆側の端部側を支点にして撓みながら、それぞれの貫通孔１１ａ，２１ａ，３１ａに挿入されていく。この第２挟持体４２においては、それぞれの貫通孔１１ａ，２１ａ，３１ａを通り抜けた際に撓みが解消し、短片部における弧状片部とは逆側の端部が他方の外方露出面２１ｂ２に係止される。
【００３７】
また、Ｊ字形状の第２挟持体４２は、短片部における弧状片部とは逆側の端部を第１挟持体４１に間接的に連結して、長片部における弧状片部とは逆側の端部を他方の外方露出面２１ｂ２に係止させる片持ち形状に形成してもよい。この第２挟持体４２は、第１挟持体４１や貫通孔１１ａ，２１ａ，３１ａの径方向にて、短片部を径方向の内側に配置し、長片部を径方向の外側に配置する。この第２挟持体４２は、それぞれの貫通孔１１ａ，２１ａ，３１ａの内周面によって長片部が径方向の内側に押動され、その長片部が弧状片部側を支点にして撓みつつ、全体が短片部における弧状片部とは逆側の端部側を支点にして撓みながら、それぞれの貫通孔１１ａ，２１ａ，３１ａに挿入されていく。この第２挟持体４２においては、それぞれの貫通孔１１ａ，２１ａ，３１ａを通り抜けた際に撓みが解消し、長片部における弧状片部とは逆側の端部が他方の外方露出面２１ｂ２に係止される。
【００３８】
また、第２挟持体４２は、例えば、２つの片部及び２つの片部を繋ぐ弧状片部を有するＵ字形状に形成してもよい。このＵ字形状の第２挟持体４２は、一方の片部における弧状片部とは逆側の端部を第１挟持体４１に間接的に連結して、他方の片部における弧状片部とは逆側の端部を他方の外方露出面２１ｂ２に係止させる片持ち形状に形成する。この第２挟持体４２は、第１挟持体４１や貫通孔１１ａ，２１ａ，３１ａの径方向にて、一方の片部を径方向の内側に配置し、他方の片部を径方向の外側に配置する。この第２挟持体４２は、それぞれの貫通孔１１ａ，２１ａ，３１ａの内周面によって他方の片部が径方向の内側に押動され、その他方の片部が弧状片部側を支点にして撓みつつ、全体が一方の片部における弧状片部とは逆側の端部側を支点にして撓みながら、それぞれの貫通孔１１ａ，２１ａ，３１ａに挿入されていく。この第２挟持体４２においては、それぞれの貫通孔１１ａ，２１ａ，３１ａを通り抜けた際に撓みが解消し、他方の片部における弧状片部とは逆側の端部が他方の外方露出面２１ｂ２に係止される。
【００３９】
この例示の第２挟持体４２は、長片部４２ａと短片部４２ｂと弧状片部４２ｃとを有するＪ字形状に形成し、それぞれの貫通孔１１ａ，２１ａ，３１ａに挿通される連結体４３を介して短片部４２ｂにおける弧状片部４２ｃとは逆側の端部を第１挟持体４１に連結している（図６及び図７）。その連結体４３は、Ｃ字型の筒状体に形成し、第２挟持体４２の内周縁側から同心で突出させる。第２挟持体４２は、この連結体４３における突出方向側の端部に繋ぐ。
【００４０】
この端子接続部材４０においては、第１挟持体４１に押圧力が加えられることによって、それぞれの貫通孔１１ａ，２１ａ，３１ａに第２挟持体４２が撓みながら差し込まれていく。この端子接続部材４０においては、第１挟持体４１の外周縁側が一方の外方露出面１１ｂ２に当接した後も、この第１挟持体４１に押圧力が加えられることによって、第１挟持体４１が撓み、それぞれの貫通孔１１ａ，２１ａ，３１ａを第２挟持体４２が通り抜ける。これにより、この端子接続部材４０は、第１挟持体４１が一方の外方露出面１１ｂ２に弾発力を作用させると共に、第２挟持体４２が他方の外方露出面２１ｂ２に押圧力を作用させるので、積層状態の３つの電気接続体１１，２１，３１を外側から挟み込み、それぞれの外側の電気接続体１１，２１におけるそれぞれの外方露出面１１ｂ２，２１ｂ２に挟持力を作用させることができる。よって、この端子接続部材４０は、その３つの電気接続体１１，２１，３１を電気的に接続させることができる。
【００４１】
以上示したように、本実施形態の端子接続構造１は、一方の端子金具１０と他方の端子金具２０と電気接続部材３０の接続作業性に優れており、これらの接続状態の保持力に優れており、かつ、既存の端子金具（一方の端子金具１０）を適用することもできる。
【００４２】
ここで、この端子接続構造１は、筐体ＪＢに収容することによって、電気接続箱ＪＢ１の構成要素の１つとなる（図１及び図２）。その電気接続箱ＪＢ１は、下記の如く筐体ＪＢの内方から外方に引き出された電線Ｗｅと共に、ワイヤハーネスＷＨ１を構成する。よって、端子接続構造１は、電気接続箱ＪＢ１の筐体ＪＢに収容することによって、ワイヤハーネスＷＨ１の構成要素の１つともなる。
【００４３】
その筐体ＪＢは、一方の端子金具１０と他方の端子金具２０と電気接続部材３０と端子接続部材４０とを収容するものとして、合成樹脂等の絶縁性材料で成形する。例えば、この筐体ＪＢにおいては、電気接続部材３０が内方に収容され且つ固定される。この例示の筐体ＪＢには、他方の端子金具２０及び端子金具ＥＰ１と共に電子部品ＥＰが収容される。
【００４４】
この筐体ＪＢにおいては、例えば、電子部品ＥＰと電気接続部材３０とが収容されている状態で、他方の端子金具２０の電気接続体２１の平板部２１ｂと電気接続部材３０の電気接続体３１の平板部３１ｂとが積層され、かつ、各々の貫通孔２１ａ，３１ａが積層方向で一列に並べられている。この筐体ＪＢにおいては、かかる状態で一方の端子金具１０を挿入し、この一方の端子金具１０の電気接続体１１の平板部１１ｂを電気接続体３１の平板部３１ｂに重ね合わせることによって、それぞれの貫通孔１１ａ，２１ａ，３１ａを積層方向で一列に並べて配置させる。端子接続部材４０は、そのそれぞれの貫通孔１１ａ，２１ａ，３１ａに差し込んでいく。これにより、この筐体ＪＢにおいては、３つの電気接続体１１，２１，３１が積層状態で固定され、これに伴い、一方の端子金具１０を端末に有する電線Ｗｅが内方から外方に引き出された形となる。
【００４５】
このように、本実施形態の端子接続構造１は、電気接続箱ＪＢ１やワイヤハーネスＷＨ１の構成要素の１つとなる。従って、本実施形態の電気接続箱ＪＢ１及びワイヤハーネスＷＨ１は、この端子接続構造１が奏する効果を同様に得ることができる。
【００４６】
［変形例１］
図８から図１２の符号１０１は、本変形例の端子接続構造を示す。また、図８の符号ＪＢ２と符号ＷＨ２は、各々、その端子接続構造１０１を備えた本変形例の電気接続箱と、この電気接続箱ＪＢ２を備えた本変形例のワイヤハーネスと、を示す。本変形例の電気接続箱ＪＢ２とワイヤハーネスＷＨ２は、前述した実施形態の電気接続箱ＪＢ１とワイヤハーネスＷＨ１において、端子接続構造１を端子接続構造１０１に置き換えたものである。よって、実施形態と同じ符号で付したものは、本変形例の説明においても実施形態と同じ部品や部位等を示すものとする。
【００４７】
本変形例においても、端子接続構造１０１は、実施形態の端子接続構造１と同じように、一方の端子金具１０と他方の端子金具２０と導電性の電気接続部材３０とを電気的に接続させるために用意されており（図８から図１０）、それぞれの電気接続体１１，２１，３１を積層状態で電気的に接続させる（図９及び図１０）。本変形例においても、一方の端子金具１０としては、電線Ｗｅの端末に取り付けられた丸形端子を例示する。また、本変形例においても、他方の端子金具２０としては、電子部品ＥＰが備える雄タブを例示する。また、本変形例においても、電気接続部材３０としては、板状のバスバを例示する。
【００４８】
この端子接続構造１０１は、その積層された電気接続体１１と電気接続体２１と電気接続体３１の内の外側に配置された２つを外側から挟み込む端子接続部材１４０を備える（図８から図１２）。この例示の端子接続部材１４０は、実施形態の端子接続部材４０と同じように、一方の端子金具１０の電気接続体１１と他方の端子金具２０の電気接続体２１とを外側から挟み込み、それぞれの外側の電気接続体１１，２１におけるそれぞれの外方露出面１１ｂ２，２１ｂ２に作用させた挟持力によって、３つの電気接続体１１，２１，３１を電気的に接続させる（図１０）。
【００４９】
この端子接続部材１４０は、実施形態の端子接続部材４０と同じように、合成樹脂材料よりも高剛性の材料（ここでは金属材料）で成形しており、合成樹脂製のものと比較して、高い挟持力で３つの電気接続体１１，２１，３１を挟み込むことができると共に、３つの電気接続体１１，２１，３１に対する挟持力を保ち続けることができる。
【００５０】
この端子接続部材１４０は、実施形態の端子接続部材４０と同じように、３つの電気接続体１１，２１，３１のそれぞれの貫通孔１１ａ，２１ａ，３１ａを介して直接的又は間接的に連結される第１挟持体１４１と第２挟持体１４２とを有する（図８から図１２）。第１挟持体１４１は、実施形態の第１挟持体４１と同様のものであり、一方の外側の電気接続体の平板部（ここでは、一方の端子金具１０における電気接続体１１の平板部１１ｂ）における一方の外方露出面１１ｂ２に弾発力を作用させる弾性変形が可能で、かつ、一方の外方露出面１１ｂ２側で当該外方露出面１１ｂ２に係止される。第２挟持体１４２は、実施形態の第２挟持体４２と同様のものであり、他方の外側の電気接続体の平板部（ここでは、他方の端子金具２０における電気接続体２１の平板部２１ｂ）における他方の外方露出面２１ｂ２に係止されて当該他方の外方露出面２１ｂ２に第１挟持体１４１の弾発力とは逆向きの押圧力を作用させる。
【００５１】
この端子接続部材１４０は、実施形態の端子接続部材４０と同じように、第１挟持体１４１における一方の外方露出面１１ｂ２への当接点を含む第１仮想平面と、第２挟持体１４２における他方の外方露出面２１ｂ２への当接点を含む第２仮想平面と、の間の最短距離が、３つの電気接続体１１，２１，３１のそれぞれの平板部１１ｂ，２１ｂ，３１ｂの板厚の合計値よりも短くなるように成形する。第１仮想平面と第２仮想平面は、各々、実施形態で示したものと同様の仮想平面であり、互いに平行状態で対向配置されている。端子接続部材１４０においては、第１挟持体１４１が一方の外方露出面１１ｂ２に係止され、かつ、第２挟持体１４２が他方の外方露出面２１ｂ２に係止されているときに、第１挟持体１４１が弾性変形して一方の外方露出面１１ｂ２に弾発力を作用させると共に、第２挟持体１４２が他方の外方露出面２１ｂ２に押圧力を作用させる。従って、この端子接続部材１４０は、積層状態の３つの電気接続体１１，２１，３１を外側から挟み込み、それぞれの外側の電気接続体１１，２１におけるそれぞれの外方露出面１１ｂ２，２１ｂ２に挟持力を作用させることができる。よって、この端子接続部材１４０は、その３つの電気接続体１１，２１，３１を電気的に接続させることができる。
【００５２】
この端子接続部材１４０は、実施形態の端子接続部材４０と同じように、積層状態にある３つの電気接続体１１，２１，３１のそれぞれの貫通孔１１ａ，２１ａ，３１ａに第２挟持体１４２を一方の外側の電気接続体（ここでは、一方の端子金具１０の電気接続体１１）側から挿通させる。そこで、第２挟持体１４２は、その一方の端子金具１０の電気接続体１１側からのそれぞれの貫通孔１１ａ，２１ａ，３１ａへの挿通に際して撓みが発生すると共に、それぞれの貫通孔１１ａ，２１ａ，３１ａを通り抜けた際に撓みが解消する弾性を有する形状で、かつ、その撓みの解消と共に他方の外方露出面２１ｂ２に係止される形状に形成する。これにより、この端子接続部材１４０においては、積層状態にある３つの電気接続体１１，２１，３１のそれぞれの貫通孔１１ａ，２１ａ，３１ａに第２挟持体１４２を一方の端子金具１０の電気接続体１１側から挿通させ、それぞれの貫通孔１１ａ，２１ａ，３１ａを第２挟持体１４２が通り抜けることによって、第１挟持体１４１が一方の外方露出面１１ｂ２に係止され、かつ、第２挟持体１４２が他方の外方露出面２１ｂ２に係止される。つまり、この端子接続部材１４０は、実施形態の端子接続部材４０と同じように、積層状態にある３つの電気接続体１１，２１，３１のそれぞれの貫通孔１１ａ，２１ａ，３１ａに第２挟持体１４２を差し込んでいくだけで、その３つの電気接続体１１，２１，３１を外側から挟み込み、それぞれの外側の電気接続体１１，２１におけるそれぞれの外方露出面１１ｂ２，２１ｂ２に挟持力を作用させることができる。従って、この端子接続部材１４０は、一方の端子金具１０と他方の端子金具２０と電気接続部材３０の接続作業性に優れたものであるといえる。
【００５３】
また、この端子接続部材１４０は、かかる構成を採っているので、平板状の電気接続体に貫通孔が形成された端子金具であるならば、それが専用品としての端子金具であろうが既存の端子金具（一方の端子金具１０）であろうが、その端子金具を接続対象として用いることができる。
【００５４】
具体的に、本変形例の端子接続部材１４０は、次のような形状に成形する。本変形例の端子接続部材１４０は、２つの第１挟持体１４１と２つの第２挟持体１４２とを有する（図１１及び図１２）。更に、本変形例の端子接続部材１４０は、一方の外側の電気接続体（ここでは、一方の端子金具１０の電気接続体１１）における貫通孔１１ａと一方の外方露出面１１ｂ２とに間隔を空けて対向配置され、複数の第１挟持体１４１を支持すると共に、複数の第２挟持体１４２を支持する支持体１４３を有する（図１１及び図１２）。その支持体１４３は、可撓性を有するものであってもよく、可撓性を有しないものであってもよい。この例示の支持体１４３は、矩形の平板状に形成している。
【００５５】
第１挟持体１４１は、長片部１４１ａ、短片部１４１ｂ並びに長片部１４１ａ及び短片部１４１ｂを繋ぐ弧状片部１４１ｃを有するＪ字形状に形成する（図１１及び図１２）。この第１挟持体１４１は、長片部１４１ａにおける弧状片部１４１ｃとは逆側の端部を支持体１４３に連結して、弧状片部１４１ｃから一方の外方露出面１１ｂ２に弾発力を作用させる片持ち形状に形成する。支持体１４３は、対向配置された２つの辺部を２組有する。第１挟持体１４１は、支持体１４３における一方の組み合わせの対向配置された２つの辺部に１つずつ連結する。また、この第１挟持体１４１は、支持体１４３から見て、長片部１４１ａを内側に配置し、短片部１４１ｂを外側に配置する。また、２つの第１挟持体１４１は、支持体１４３から見て、各々同じ向きに突出させる。この第１挟持体１４１は、例えば、弧状片部１４１ｃが一方の外方露出面１１ｂ２に当接している状態で、支持体１４３が貫通孔１１ａや一方の外方露出面１１ｂ２に向けて押動された際に、長片部１４１ａにおける弧状片部１４１ｃとは逆側の端部側を支点にして撓んで弾性変形し、これに伴う弾発力を弧状片部１４１ｃから一方の外方露出面１１ｂ２に作用させることができる。
【００５６】
第２挟持体１４２は、実施形態の第２挟持体４２と同様のＪ字形状又はＵ字形状に形成すればよい。
【００５７】
例えば、Ｊ字形状の第２挟持体１４２は、長片部における弧状片部とは逆側の端部を第１挟持体１４１に支持体１４３を介して間接的に連結して、短片部における弧状片部とは逆側の端部を他方の外方露出面２１ｂ２に係止させる片持ち形状に形成すればよい。この第２挟持体１４２は、貫通孔１１ａ，２１ａ，３１ａの径方向にて、長片部を径方向の内側に配置し、短片部を径方向の外側に配置する。この第２挟持体１４２は、それぞれの貫通孔１１ａ，２１ａ，３１ａの内周面によって短片部が径方向の内側に押動され、その短片部が弧状片部側を支点にして撓みつつ、全体が長片部における弧状片部とは逆側の端部側を支点にして撓みながら、それぞれの貫通孔１１ａ，２１ａ，３１ａに挿入されていく。この第２挟持体１４２においては、それぞれの貫通孔１１ａ，２１ａ，３１ａを通り抜けた際に撓みが解消し、短片部における弧状片部とは逆側の端部が他方の外方露出面２１ｂ２に係止される。
【００５８】
また、Ｊ字形状の第２挟持体１４２は、短片部における弧状片部とは逆側の端部を第１挟持体１４１に支持体１４３を介して間接的に連結して、長片部における弧状片部とは逆側の端部を他方の外方露出面２１ｂ２に係止させる片持ち形状に形成してもよい。この第２挟持体１４２は、貫通孔１１ａ，２１ａ，３１ａの径方向にて、短片部を径方向の内側に配置し、長片部を径方向の外側に配置する。この第２挟持体１４２は、それぞれの貫通孔１１ａ，２１ａ，３１ａの内周面によって長片部が径方向の内側に押動され、その長片部が弧状片部側を支点にして撓みつつ、全体が短片部における弧状片部とは逆側の端部側を支点にして撓みながら、それぞれの貫通孔１１ａ，２１ａ，３１ａに挿入されていく。この第２挟持体１４２においては、それぞれの貫通孔１１ａ，２１ａ，３１ａを通り抜けた際に撓みが解消し、長片部における弧状片部とは逆側の端部が他方の外方露出面２１ｂ２に係止される。
【００５９】
また、Ｕ字形状の第２挟持体１４２は、一方の片部における弧状片部とは逆側の端部を第１挟持体１４１に支持体１４３を介して間接的に連結して、他方の片部における弧状片部とは逆側の端部を他方の外方露出面２１ｂ２に係止させる片持ち形状に形成すればよい。この第２挟持体１４２は、貫通孔１１ａ，２１ａ，３１ａの径方向にて、一方の片部を径方向の内側に配置し、他方の片部を径方向の外側に配置する。この第２挟持体１４２は、それぞれの貫通孔１１ａ，２１ａ，３１ａの内周面によって他方の片部が径方向の内側に押動され、その他方の片部が弧状片部側を支点にして撓みつつ、全体が一方の片部における弧状片部とは逆側の端部側を支点にして撓みながら、それぞれの貫通孔１１ａ，２１ａ，３１ａに挿入されていく。この第２挟持体１４２においては、それぞれの貫通孔１１ａ，２１ａ，３１ａを通り抜けた際に撓みが解消し、他方の片部における弧状片部とは逆側の端部が他方の外方露出面２１ｂ２に係止される。
【００６０】
この例示の第２挟持体１４２は、長片部１４２ａと短片部１４２ｂと弧状片部１４２ｃとを有するＪ字形状に形成し、長片部１４２ａにおける弧状片部１４２ｃとは逆側の端部を支持体１４３に連結している（図１１及び図１２）。第２挟持体１４２は、支持体１４３における他方の組み合わせの対向配置された２つの辺部に１つずつ連結する。また、２つの第２挟持体１４２は、支持体１４３から見て、各々同じ向きに突出させる。
【００６１】
この端子接続部材１４０においては、支持体１４３に押圧力が加えられることによって、それぞれの貫通孔１１ａ，２１ａ，３１ａに第２挟持体１４２が撓みながら差し込まれていく。この端子接続部材１４０においては、第１挟持体１４１の弧状片部１４１ｃが一方の外方露出面１１ｂ２に当接した後も、支持体１４３に押圧力が加えられることによって、第１挟持体１４１が撓み、それぞれの貫通孔１１ａ，２１ａ，３１ａを第２挟持体１４２が通り抜ける。これにより、この端子接続部材１４０は、第１挟持体１４１が一方の外方露出面１１ｂ２に弾発力を作用させると共に、第２挟持体１４２が他方の外方露出面２１ｂ２に押圧力を作用させるので、積層状態の３つの電気接続体１１，２１，３１を外側から挟み込み、それぞれの外側の電気接続体１１，２１におけるそれぞれの外方露出面１１ｂ２，２１ｂ２に挟持力を作用させることができる。よって、この端子接続部材１４０は、その３つの電気接続体１１，２１，３１を電気的に接続させることができる。
【００６２】
ここで、この端子接続部材１４０においては、先に示したように、矩形の支持体１４３における一方の組み合わせの対向配置された２つの辺部に第１挟持体１４１を１つずつ連結し、かつ、この支持体１４３における他方の組み合わせの対向配置された２つの辺部に第２挟持体１４２を１つずつ連結している。そして、この端子接続部材１４０においては、それぞれの第１挟持体１４１における一方の外方露出面１１ｂ２への当接点を先の第１仮想平面上に各々配置し、かつ、それぞれの第２挟持体１４２における他方の外方露出面２１ｂ２への当接点を先の第２仮想平面上に各々配置している。よって、この端子接続部材１４０は、それぞれの第１挟持体１４１の弧状片部１４１ｃから一方の外方露出面１１ｂ２に対して均等に弾発力を作用させ、かつ、それぞれの第２挟持体１４２の短片部１４２ｂにおける弧状片部１４２ｃとは逆側の端部から他方の外方露出面２１ｂ２に対して均等に押圧力を作用させることができる。従って、この端子接続部材１４０は、積層状態の３つの電気接続体１１，２１，３１に対する挟持力を各点で均等に発生させることができ、かつ、その挟持力を維持することができる。
【００６３】
以上示したように、本変形例の端子接続構造１０１は、一方の端子金具１０と他方の端子金具２０と電気接続部材３０の接続作業性に優れており、これらの接続状態の保持力に優れており、かつ、既存の端子金具（一方の端子金具１０）を適用することもできる。
【００６４】
ここで、この端子接続構造１０１は、実施形態と同様の筐体ＪＢに収容することによって、電気接続箱ＪＢ２の構成要素の１つとなる（図８）。その電気接続箱ＪＢ２は、筐体ＪＢの内方から外方に引き出された電線Ｗｅと共に、ワイヤハーネスＷＨ２を構成する。よって、端子接続構造１０１は、電気接続箱ＪＢ２の筐体ＪＢに収容することによって、ワイヤハーネスＷＨ２の構成要素の１つともなる。従って、本変形例の電気接続箱ＪＢ２及びワイヤハーネスＷＨ２は、この端子接続構造１０１が奏する効果を同様に得ることができる。
【００６５】
［変形例２］
図１３から図１７の符号２０１は、本変形例の端子接続構造を示す。また、図１３の符号ＪＢ３と符号ＷＨ３は、各々、その端子接続構造２０１を備えた本変形例の電気接続箱と、この電気接続箱ＪＢ３を備えた本変形例のワイヤハーネスと、を示す。本変形例の電気接続箱ＪＢ３とワイヤハーネスＷＨ３は、前述した実施形態の電気接続箱ＪＢ１とワイヤハーネスＷＨ１において、端子接続構造１を端子接続構造２０１に置き換えたものである。よって、実施形態と同じ符号で付したものは、本変形例の説明においても実施形態と同じ部品や部位等を示すものとする。
【００６６】
本変形例においても、端子接続構造２０１は、実施形態の端子接続構造１と同じように、一方の端子金具１０と他方の端子金具２０と導電性の電気接続部材３０とを電気的に接続させるために用意されており（図１３から図１５）、それぞれの電気接続体１１，２１，３１を積層状態で電気的に接続させる（図１４及び図１５）。本変形例においても、一方の端子金具１０としては、電線Ｗｅの端末に取り付けられた丸形端子を例示する。また、本変形例においても、他方の端子金具２０としては、電子部品ＥＰが備える雄タブを例示する。また、本変形例においても、電気接続部材３０としては、板状のバスバを例示する。
【００６７】
この端子接続構造２０１は、その積層された電気接続体１１と電気接続体２１と電気接続体３１の内の外側に配置された２つを外側から挟み込む端子接続部材２４０を備える（図１３から図１７）。この例示の端子接続部材２４０は、実施形態の端子接続部材４０と同じように、一方の端子金具１０の電気接続体１１と他方の端子金具２０の電気接続体２１とを外側から挟み込み、それぞれの外側の電気接続体１１，２１におけるそれぞれの外方露出面１１ｂ２，２１ｂ２に作用させた挟持力によって、３つの電気接続体１１，２１，３１を電気的に接続させる（図１５）。
【００６８】
この端子接続部材２４０は、実施形態の端子接続部材４０と同じように、合成樹脂材料よりも高剛性の材料（ここでは金属材料）で成形しており、合成樹脂製のものと比較して、高い挟持力で３つの電気接続体１１，２１，３１を挟み込むことができると共に、３つの電気接続体１１，２１，３１に対する挟持力を保ち続けることができる。
【００６９】
この端子接続部材２４０は、実施形態の端子接続部材４０と同じように、３つの電気接続体１１，２１，３１のそれぞれの貫通孔１１ａ，２１ａ，３１ａを介して直接的又は間接的に連結される第１挟持体２４１と第２挟持体２４２とを有する（図１３から図１７）。第１挟持体２４１は、実施形態の第１挟持体４１と同様のものであり、一方の外側の電気接続体の平板部（ここでは、一方の端子金具１０における電気接続体１１の平板部１１ｂ）における一方の外方露出面１１ｂ２に弾発力を作用させる弾性変形が可能で、かつ、一方の外方露出面１１ｂ２側で当該外方露出面１１ｂ２に係止される。第２挟持体２４２は、実施形態の第２挟持体４２と同様のものであり、他方の外側の電気接続体の平板部（ここでは、他方の端子金具２０における電気接続体２１の平板部２１ｂ）における他方の外方露出面２１ｂ２に係止されて当該他方の外方露出面２１ｂ２に第１挟持体２４１の弾発力とは逆向きの押圧力を作用させる。
【００７０】
この端子接続部材２４０は、実施形態の端子接続部材４０と同じように、第１挟持体２４１における一方の外方露出面１１ｂ２への当接点を含む第１仮想平面と、第２挟持体２４２における他方の外方露出面２１ｂ２への当接点を含む第２仮想平面と、の間の最短距離が、３つの電気接続体１１，２１，３１のそれぞれの平板部１１ｂ，２１ｂ，３１ｂの板厚の合計値よりも短くなるように成形する。第１仮想平面と第２仮想平面は、各々、実施形態で示したものと同様の仮想平面であり、互いに平行状態で対向配置されている。端子接続部材２４０においては、第１挟持体２４１が一方の外方露出面１１ｂ２に係止され、かつ、第２挟持体２４２が他方の外方露出面２１ｂ２に係止されているときに、第１挟持体２４１が弾性変形して一方の外方露出面１１ｂ２に弾発力を作用させると共に、第２挟持体２４２が他方の外方露出面２１ｂ２に押圧力を作用させる。従って、この端子接続部材２４０は、積層状態の３つの電気接続体１１，２１，３１を外側から挟み込み、それぞれの外側の電気接続体１１，２１におけるそれぞれの外方露出面１１ｂ２，２１ｂ２に挟持力を作用させることができる。よって、この端子接続部材２４０は、その３つの電気接続体１１，２１，３１を電気的に接続させることができる。
【００７１】
この端子接続部材２４０は、実施形態の端子接続部材４０と同じように、積層状態にある３つの電気接続体１１，２１，３１のそれぞれの貫通孔１１ａ，２１ａ，３１ａに第２挟持体２４２を一方の外側の電気接続体（ここでは、一方の端子金具１０の電気接続体１１）側から挿通させる。そこで、第２挟持体２４２は、その一方の端子金具１０の電気接続体１１側からのそれぞれの貫通孔１１ａ，２１ａ，３１ａへの挿通に際して撓みが発生すると共に、それぞれの貫通孔１１ａ，２１ａ，３１ａを通り抜けた際に撓みが解消する弾性を有する形状で、かつ、その撓みの解消と共に他方の外方露出面２１ｂ２に係止される形状に形成する。これにより、この端子接続部材２４０においては、積層状態にある３つの電気接続体１１，２１，３１のそれぞれの貫通孔１１ａ，２１ａ，３１ａに第２挟持体２４２を一方の端子金具１０の電気接続体１１側から挿通させ、それぞれの貫通孔１１ａ，２１ａ，３１ａを第２挟持体２４２が通り抜けることによって、第１挟持体２４１が一方の外方露出面１１ｂ２に係止され、かつ、第２挟持体２４２が他方の外方露出面２１ｂ２に係止される。つまり、この端子接続部材２４０は、実施形態の端子接続部材４０と同じように、積層状態にある３つの電気接続体１１，２１，３１のそれぞれの貫通孔１１ａ，２１ａ，３１ａに第２挟持体２４２を差し込んでいくだけで、その３つの電気接続体１１，２１，３１を外側から挟み込み、それぞれの外側の電気接続体１１，２１におけるそれぞれの外方露出面１１ｂ２，２１ｂ２に挟持力を作用させることができる。従って、この端子接続部材２４０は、一方の端子金具１０と他方の端子金具２０と電気接続部材３０の接続作業性に優れたものであるといえる。
【００７２】
また、この端子接続部材２４０は、かかる構成を採っているので、平板状の電気接続体に貫通孔が形成された端子金具であるならば、それが専用品としての端子金具であろうが既存の端子金具（一方の端子金具１０）であろうが、その端子金具を接続対象として用いることができる。
【００７３】
具体的に、本変形例の端子接続部材２４０は、次のような形状に成形する。本変形例の端子接続部材２４０は、３つの第１挟持体２４１と３つの第２挟持体２４２とを有する（図１６及び図１７）。更に、本変形例の端子接続部材２４０は、一方の外側の電気接続体（ここでは、一方の端子金具１０の電気接続体１１）における貫通孔１１ａと一方の外方露出面１１ｂ２とに間隔を空けて対向配置され、複数の第１挟持体２４１を支持すると共に、複数の第２挟持体２４２を支持する支持体２４３を有する（図１６及び図１７）。その支持体２４３は、可撓性を有するものであってもよく、可撓性を有しないものであってもよい。この例示の支持体２４３は、円板状に形成している。
【００７４】
第１挟持体２４１は、長片部２４１ａ、短片部２４１ｂ並びに長片部２４１ａ及び短片部２４１ｂを繋ぐ弧状片部２４１ｃを有するＪ字形状に形成する（図１６及び図１７）。この第１挟持体２４１は、長片部２４１ａにおける弧状片部２４１ｃとは逆側の端部を支持体２４３に連結して、弧状片部２４１ｃから一方の外方露出面１１ｂ２に弾発力を作用させる片持ち形状に形成する。３つの第１挟持体２４１は、支持体２４３の周方向に沿って等間隔に配置し、この支持体２４３の外周縁側に連結する。また、３つの第１挟持体２４１は、支持体２４３から見て、各々同じ向きに突出させる。また、第１挟持体２４１は、支持体２４３や貫通孔１１ａ，２１ａ，３１ａの径方向にて、長片部２４１ａを径方向の内側に配置し、短片部２４１ｂを径方向の外側に配置する。この第１挟持体２４１は、例えば、弧状片部２４１ｃが一方の外方露出面１１ｂ２に当接している状態で、支持体２４３が貫通孔１１ａや一方の外方露出面１１ｂ２に向けて押動された際に、長片部２４１ａにおける弧状片部２４１ｃとは逆側の端部側を支点にして撓んで弾性変形し、これに伴う弾発力を弧状片部２４１ｃから一方の外方露出面１１ｂ２に作用させることができる。
【００７５】
第２挟持体２４２は、実施形態の第２挟持体４２と同様のＪ字形状又はＵ字形状に形成すればよい。
【００７６】
例えば、Ｊ字形状の第２挟持体２４２は、長片部における弧状片部とは逆側の端部を第１挟持体２４１に支持体２４３を介して間接的に連結して、短片部における弧状片部とは逆側の端部を他方の外方露出面２１ｂ２に係止させる片持ち形状に形成すればよい。この第２挟持体２４２は、貫通孔１１ａ，２１ａ，３１ａの径方向にて、長片部を径方向の内側に配置し、短片部を径方向の外側に配置する。この第２挟持体２４２は、それぞれの貫通孔１１ａ，２１ａ，３１ａの内周面によって短片部が径方向の内側に押動され、その短片部が弧状片部側を支点にして撓みつつ、全体が長片部における弧状片部とは逆側の端部側を支点にして撓みながら、それぞれの貫通孔１１ａ，２１ａ，３１ａに挿入されていく。この第２挟持体２４２においては、それぞれの貫通孔１１ａ，２１ａ，３１ａを通り抜けた際に撓みが解消し、短片部における弧状片部とは逆側の端部が他方の外方露出面２１ｂ２に係止される。
【００７７】
また、Ｊ字形状の第２挟持体２４２は、短片部における弧状片部とは逆側の端部を第１挟持体２４１に支持体２４３を介して間接的に連結して、長片部における弧状片部とは逆側の端部を他方の外方露出面２１ｂ２に係止させる片持ち形状に形成してもよい。この第２挟持体２４２は、貫通孔１１ａ，２１ａ，３１ａの径方向にて、短片部を径方向の内側に配置し、長片部を径方向の外側に配置する。この第２挟持体２４２は、それぞれの貫通孔１１ａ，２１ａ，３１ａの内周面によって長片部が径方向の内側に押動され、その長片部が弧状片部側を支点にして撓みつつ、全体が短片部における弧状片部とは逆側の端部側を支点にして撓みながら、それぞれの貫通孔１１ａ，２１ａ，３１ａに挿入されていく。この第２挟持体２４２においては、それぞれの貫通孔１１ａ，２１ａ，３１ａを通り抜けた際に撓みが解消し、長片部における弧状片部とは逆側の端部が他方の外方露出面２１ｂ２に係止される。
【００７８】
また、Ｕ字形状の第２挟持体２４２は、一方の片部における弧状片部とは逆側の端部を第１挟持体２４１に支持体２４３を介して間接的に連結して、他方の片部における弧状片部とは逆側の端部を他方の外方露出面２１ｂ２に係止させる片持ち形状に形成すればよい。この第２挟持体２４２は、貫通孔１１ａ，２１ａ，３１ａの径方向にて、一方の片部を径方向の内側に配置し、他方の片部を径方向の外側に配置する。この第２挟持体２４２は、それぞれの貫通孔１１ａ，２１ａ，３１ａの内周面によって他方の片部が径方向の内側に押動され、その他方の片部が弧状片部側を支点にして撓みつつ、全体が一方の片部における弧状片部とは逆側の端部側を支点にして撓みながら、それぞれの貫通孔１１ａ，２１ａ，３１ａに挿入されていく。この第２挟持体２４２においては、それぞれの貫通孔１１ａ，２１ａ，３１ａを通り抜けた際に撓みが解消し、他方の片部における弧状片部とは逆側の端部が他方の外方露出面２１ｂ２に係止される。
【００７９】
この例示の第２挟持体２４２は、長片部２４２ａと短片部２４２ｂと弧状片部２４２ｃとを有するＪ字形状に形成し、長片部２４２ａにおける弧状片部２４２ｃとは逆側の端部を支持体２４３に連結している（図１６及び図１７）。３つの第２挟持体２４２は、支持体２４３の周方向に沿って等間隔に配置し、この支持体２４３の外周縁側に連結する。第１挟持体２４１と第２挟持体２４２は、その周方向に沿って交互に配置されている。また、３つの第２挟持体２４２は、支持体２４３から見て、各々同じ向きに突出させる。
【００８０】
この端子接続部材２４０においては、支持体２４３に押圧力が加えられることによって、それぞれの貫通孔１１ａ，２１ａ，３１ａに第２挟持体２４２が撓みながら差し込まれていく。この端子接続部材２４０においては、第１挟持体２４１の弧状片部２４１ｃが一方の外方露出面１１ｂ２に当接した後も、支持体２４３に押圧力が加えられることによって、第１挟持体２４１が撓み、それぞれの貫通孔１１ａ，２１ａ，３１ａを第２挟持体２４２が通り抜ける。これにより、この端子接続部材２４０は、第１挟持体２４１が一方の外方露出面１１ｂ２に弾発力を作用させると共に、第２挟持体２４２が他方の外方露出面２１ｂ２に押圧力を作用させるので、積層状態の３つの電気接続体１１，２１，３１を外側から挟み込み、それぞれの外側の電気接続体１１，２１におけるそれぞれの外方露出面１１ｂ２，２１ｂ２に挟持力を作用させることができる。よって、この端子接続部材２４０は、その３つの電気接続体１１，２１，３１を電気的に接続させることができる。
【００８１】
ここで、この端子接続部材２４０においては、先に示したように、支持体２４３の周方向に沿って、第１挟持体２４１と第２挟持体２４２とを交互に等間隔で配置している。そして、この端子接続部材２４０においては、それぞれの第１挟持体２４１における一方の外方露出面１１ｂ２への当接点を先の第１仮想平面上に各々配置し、かつ、それぞれの第２挟持体２４２における他方の外方露出面２１ｂ２への当接点を先の第２仮想平面上に各々配置している。よって、この端子接続部材２４０は、それぞれの第１挟持体２４１の弧状片部２４１ｃから一方の外方露出面１１ｂ２に対して均等に弾発力を作用させ、かつ、それぞれの第２挟持体２４２の短片部２４２ｂにおける弧状片部２４２ｃとは逆側の端部から他方の外方露出面２１ｂ２に対して均等に押圧力を作用させることができる。従って、この端子接続部材２４０は、積層状態の３つの電気接続体１１，２１，３１に対する挟持力を各点で均等に発生させることができ、かつ、その挟持力を維持することができる。
【００８２】
以上示したように、本変形例の端子接続構造２０１は、一方の端子金具１０と他方の端子金具２０と電気接続部材３０の接続作業性に優れており、これらの接続状態の保持力に優れており、かつ、既存の端子金具（一方の端子金具１０）を適用することもできる。
【００８３】
ここで、この端子接続構造２０１は、実施形態と同様の筐体ＪＢに収容することによって、電気接続箱ＪＢ３の構成要素の１つとなる（図１３）。その電気接続箱ＪＢ３は、筐体ＪＢの内方から外方に引き出された電線Ｗｅと共に、ワイヤハーネスＷＨ３を構成する。よって、端子接続構造２０１は、電気接続箱ＪＢ３の筐体ＪＢに収容することによって、ワイヤハーネスＷＨ３の構成要素の１つともなる。従って、本変形例の電気接続箱ＪＢ３及びワイヤハーネスＷＨ３は、この端子接続構造２０１が奏する効果を同様に得ることができる。
【００８４】
［変形例３］
図１８から図２２の符号３０１は、本変形例の端子接続構造を示す。また、図１８の符号ＪＢ４と符号ＷＨ４は、各々、その端子接続構造３０１を備えた本変形例の電気接続箱と、この電気接続箱ＪＢ４を備えた本変形例のワイヤハーネスと、を示す。本変形例の電気接続箱ＪＢ４とワイヤハーネスＷＨ４は、前述した実施形態の電気接続箱ＪＢ１とワイヤハーネスＷＨ１において、端子接続構造１を端子接続構造３０１に置き換えたものである。よって、実施形態と同じ符号で付したものは、本変形例の説明においても実施形態と同じ部品や部位等を示すものとする。
【００８５】
本変形例においても、端子接続構造３０１は、実施形態の端子接続構造１と同じように、一方の端子金具１０と他方の端子金具２０と導電性の電気接続部材３０とを電気的に接続させるために用意されており（図１８から図２０）、それぞれの電気接続体１１，２１，３１を積層状態で電気的に接続させる（図１９及び図２０）。本変形例においても、一方の端子金具１０としては、電線Ｗｅの端末に取り付けられた丸形端子を例示する。また、本変形例においても、他方の端子金具２０としては、電子部品ＥＰが備える雄タブを例示する。また、本変形例においても、電気接続部材３０としては、板状のバスバを例示する。
【００８６】
この端子接続構造３０１は、その積層された電気接続体１１と電気接続体２１と電気接続体３１の内の外側に配置された２つを外側から挟み込む端子接続部材３４０を備える（図１８から図２２）。この例示の端子接続部材３４０は、実施形態の端子接続部材４０と同じように、一方の端子金具１０の電気接続体１１と他方の端子金具２０の電気接続体２１とを外側から挟み込み、それぞれの外側の電気接続体１１，２１におけるそれぞれの外方露出面１１ｂ２，２１ｂ２に作用させた挟持力によって、３つの電気接続体１１，２１，３１を電気的に接続させる（図２０）。
【００８７】
この端子接続部材３４０は、実施形態の端子接続部材４０と同じように、合成樹脂材料よりも高剛性の材料（ここでは金属材料）で成形しており、合成樹脂製のものと比較して、高い挟持力で３つの電気接続体１１，２１，３１を挟み込むことができると共に、３つの電気接続体１１，２１，３１に対する挟持力を保ち続けることができる。
【００８８】
この端子接続部材３４０は、実施形態の端子接続部材４０と同じように、３つの電気接続体１１，２１，３１のそれぞれの貫通孔１１ａ，２１ａ，３１ａを介して直接的又は間接的に連結される第１挟持体３４１と第２挟持体３４２とを有する（図１８から図２２）。第１挟持体３４１は、実施形態の第１挟持体４１と同様のものであり、一方の外側の電気接続体の平板部（ここでは、一方の端子金具１０における電気接続体１１の平板部１１ｂ）における一方の外方露出面１１ｂ２に弾発力を作用させる弾性変形が可能で、かつ、一方の外方露出面１１ｂ２側で当該外方露出面１１ｂ２に係止される。第２挟持体３４２は、実施形態の第２挟持体４２と同様のものであり、他方の外側の電気接続体の平板部（ここでは、他方の端子金具２０における電気接続体２１の平板部２１ｂ）における他方の外方露出面２１ｂ２に係止されて当該他方の外方露出面２１ｂ２に第１挟持体３４１の弾発力とは逆向きの押圧力を作用させる。
【００８９】
この端子接続部材３４０は、実施形態の端子接続部材４０と同じように、第１挟持体３４１における一方の外方露出面１１ｂ２への当接点を含む第１仮想平面と、第２挟持体３４２における他方の外方露出面２１ｂ２への当接点を含む第２仮想平面と、の間の最短距離が、３つの電気接続体１１，２１，３１のそれぞれの平板部１１ｂ，２１ｂ，３１ｂの板厚の合計値よりも短くなるように成形する。第１仮想平面と第２仮想平面は、各々、実施形態で示したものと同様の仮想平面であり、互いに平行状態で対向配置されている。端子接続部材３４０においては、第１挟持体３４１が一方の外方露出面１１ｂ２に係止され、かつ、第２挟持体３４２が他方の外方露出面２１ｂ２に係止されているときに、第１挟持体３４１が弾性変形して一方の外方露出面１１ｂ２に弾発力を作用させると共に、第２挟持体３４２が他方の外方露出面２１ｂ２に押圧力を作用させる。従って、この端子接続部材３４０は、積層状態の３つの電気接続体１１，２１，３１を外側から挟み込み、それぞれの外側の電気接続体１１，２１におけるそれぞれの外方露出面１１ｂ２，２１ｂ２に挟持力を作用させることができる。よって、この端子接続部材３４０は、その３つの電気接続体１１，２１，３１を電気的に接続させることができる。
【００９０】
この端子接続部材３４０は、実施形態の端子接続部材４０と同じように、積層状態にある３つの電気接続体１１，２１，３１のそれぞれの貫通孔１１ａ，２１ａ，３１ａに第２挟持体３４２を一方の外側の電気接続体（ここでは、一方の端子金具１０の電気接続体１１）側から挿通させる。そこで、第２挟持体３４２は、その一方の端子金具１０の電気接続体１１側からのそれぞれの貫通孔１１ａ，２１ａ，３１ａへの挿通に際して撓みが発生すると共に、それぞれの貫通孔１１ａ，２１ａ，３１ａを通り抜けた際に撓みが解消する弾性を有する形状で、かつ、その撓みの解消と共に他方の外方露出面２１ｂ２に係止される形状に形成する。これにより、この端子接続部材３４０においては、積層状態にある３つの電気接続体１１，２１，３１のそれぞれの貫通孔１１ａ，２１ａ，３１ａに第２挟持体３４２を一方の端子金具１０の電気接続体１１側から挿通させ、それぞれの貫通孔１１ａ，２１ａ，３１ａを第２挟持体３４２が通り抜けることによって、第１挟持体３４１が一方の外方露出面１１ｂ２に係止され、かつ、第２挟持体３４２が他方の外方露出面２１ｂ２に係止される。つまり、この端子接続部材３４０は、実施形態の端子接続部材４０と同じように、積層状態にある３つの電気接続体１１，２１，３１のそれぞれの貫通孔１１ａ，２１ａ，３１ａに第２挟持体３４２を差し込んでいくだけで、その３つの電気接続体１１，２１，３１を外側から挟み込み、それぞれの外側の電気接続体１１，２１におけるそれぞれの外方露出面１１ｂ２，２１ｂ２に挟持力を作用させることができる。従って、この端子接続部材３４０は、一方の端子金具１０と他方の端子金具２０と電気接続部材３０の接続作業性に優れたものであるといえる。
【００９１】
また、この端子接続部材３４０は、かかる構成を採っているので、平板状の電気接続体に貫通孔が形成された端子金具であるならば、それが専用品としての端子金具であろうが既存の端子金具（一方の端子金具１０）であろうが、その端子金具を接続対象として用いることができる。
【００９２】
具体的に、本変形例の端子接続部材３４０は、次のような形状に成形する。本変形例の端子接続部材３４０は、６つの第１挟持体３４１と２つの第２挟持体３４２とを有する（図２１及び図２２）。更に、本変形例の端子接続部材３４０は、一方の外側の電気接続体（ここでは、一方の端子金具１０の電気接続体１１）における貫通孔１１ａと一方の外方露出面１１ｂ２とに間隔を空けて対向配置され、複数の第１挟持体３４１を支持すると共に、複数の第２挟持体３４２を支持する支持体３４３を有する（図１６及び図１７）。その支持体３４３は、可撓性を有するものであってもよく、可撓性を有しないものであってもよい。この例示の支持体３４３は、矩形の平板状に形成している。
【００９３】
本変形例の端子接続部材３４０は、換言するならば、前述した変形例１の端子接続部材１４０において、支持体１４３における他方の組み合わせの対向配置された２つの辺部に第１挟持体１４１を２つずつ追加したものに相当する。つまり、本変形例の端子接続部材３４０においては、支持体３４３における一方の組み合わせの対向配置された２つの辺部に第１挟持体３４１を１つずつ連結し、かつ、この支持体３４３における他方の組み合わせの対向配置された２つの辺部に第１挟持体３４１を２つずつと第２挟持体３４２を１つずつ連結している（図２１及び図２２）。その他方の組み合わせの辺部においては、２つの第２挟持体３４２の間に第１挟持体３４１を配置する。
【００９４】
この例示の第１挟持体３４１は、変形例１の第１挟持体１４１と同様の片持ち形状に形成されたものであり、長片部３４１ａ、短片部３４１ｂ並びに長片部３４１ａ及び短片部３４１ｂを繋ぐ弧状片部３４１ｃを有するＪ字形状に形成している（図２１及び図２２）。この第１挟持体３４１は、長片部３４１ａにおける弧状片部３４１ｃとは逆側の端部を支持体３４３に連結し、弧状片部３４１ｃから一方の外方露出面１１ｂ２に弾発力を作用させる。この第１挟持体３４１は、支持体３４３から見て、長片部３４１ａを内側に配置し、短片部３４１ｂを外側に配置する。また、６つの第１挟持体３４１は、支持体３４３から見て、各々同じ向きに突出させる。
【００９５】
この例示の第２挟持体３４２は、変形例１の第２挟持体１４２と同様の片持ち形状に形成されたものであり、長片部３４２ａ、短片部３４２ｂ並びに長片部３４２ａ及び短片部３４２ｂを繋ぐ弧状片部３４２ｃを有するＪ字形状に形成している（図２１及び図２２）。この第２挟持体３４２は、長片部３４２ａにおける弧状片部３４２ｃとは逆側の端部を支持体３４３に連結し、短片部３４２ｂにおける弧状片部３４２ｃとは逆側の端部を他方の外方露出面２１ｂ２に係止させる。この第２挟持体３４２は、支持体３４３から見て、長片部３４２ａを内側に配置し、短片部３４２ｂを外側に配置する。また、２つの第２挟持体３４２は、支持体３４３から見て、各々同じ向きに突出させる。
【００９６】
この端子接続部材３４０においては、支持体３４３に押圧力が加えられることによって、それぞれの貫通孔１１ａ，２１ａ，３１ａに第２挟持体３４２が撓みながら差し込まれていく。この端子接続部材３４０においては、第１挟持体３４１の弧状片部３４１ｃが一方の外方露出面１１ｂ２に当接した後も、支持体３４３に押圧力が加えられることによって、第１挟持体３４１が撓み、それぞれの貫通孔１１ａ，２１ａ，３１ａを第２挟持体３４２が通り抜ける。これにより、この端子接続部材３４０は、第１挟持体３４１が一方の外方露出面１１ｂ２に弾発力を作用させると共に、第２挟持体３４２が他方の外方露出面２１ｂ２に押圧力を作用させるので、積層状態の３つの電気接続体１１，２１，３１を外側から挟み込み、それぞれの外側の電気接続体１１，２１におけるそれぞれの外方露出面１１ｂ２，２１ｂ２に挟持力を作用させることができる。よって、この端子接続部材３４０は、その３つの電気接続体１１，２１，３１を電気的に接続させることができる。
【００９７】
ここで、この端子接続部材３４０においては、先に示したように、矩形の支持体３４３における一方の組み合わせの対向配置された２つの辺部に第１挟持体３４１を１つずつ連結し、かつ、この支持体３４３における他方の組み合わせの対向配置された２つの辺部に第１挟持体３４１を２つずつと第２挟持体３４２を１つずつ連結している。そして、この端子接続部材３４０においては、それぞれの第１挟持体３４１における一方の外方露出面１１ｂ２への当接点を先の変形例１で示した第１仮想平面上に各々配置し、かつ、それぞれの第２挟持体３４２における他方の外方露出面２１ｂ２への当接点を先の変形例１で示した第２仮想平面上に各々配置している。よって、この端子接続部材３４０は、それぞれの第１挟持体３４１の弧状片部３４１ｃから一方の外方露出面１１ｂ２に対して変形例１よりも均等に弾発力を作用させ、かつ、それぞれの第２挟持体３４２の短片部３４２ｂにおける弧状片部３４２ｃとは逆側の端部から他方の外方露出面２１ｂ２に対して均等に押圧力を作用させることができる。従って、この端子接続部材３４０は、積層状態の３つの電気接続体１１，２１，３１に対する挟持力を各点で変形例１よりも均等に発生させることができ、かつ、その挟持力を維持することができる。
【００９８】
以上示したように、本変形例の端子接続構造３０１は、一方の端子金具１０と他方の端子金具２０と電気接続部材３０の接続作業性に優れており、これらの接続状態の保持力に優れており、かつ、既存の端子金具（一方の端子金具１０）を適用することもできる。
【００９９】
ここで、この端子接続構造３０１は、実施形態と同様の筐体ＪＢに収容することによって、電気接続箱ＪＢ４の構成要素の１つとなる（図１８）。その電気接続箱ＪＢ４は、筐体ＪＢの内方から外方に引き出された電線Ｗｅと共に、ワイヤハーネスＷＨ４を構成する。よって、端子接続構造３０１は、電気接続箱ＪＢ４の筐体ＪＢに収容することによって、ワイヤハーネスＷＨ４の構成要素の１つともなる。従って、本変形例の電気接続箱ＪＢ４及びワイヤハーネスＷＨ４は、この端子接続構造３０１が奏する効果を同様に得ることができる。
【符号の説明】
【０１００】
１，１０１，２０１，３０１  端子接続構造
１０  一方の端子金具
１１  電気接続体（一方の外側の電気接続体）
１１ａ  貫通孔
１１ｂ  平板部
１１ｂ２  一方の外方露出面
２０  他方の端子金具
２１  電気接続体（他方の外側の電気接続体）
２１ａ  貫通孔
２１ｂ  平板部
２１ｂ２  他方の外方露出面
３０  電気接続部材
３１  電気接続体
３１ａ  貫通孔
３１ｂ  平板部
４０，１４０，２４０，３４０  端子接続部材
４１  第１挟持体
４２  第２挟持体
４２ａ  長片部
４２ｂ  短片部
４２ｃ  弧状片部
１４１，２４１，３４１  第１挟持体
１４１ａ，２４１ａ，３４１ａ  長片部
１４１ｂ，２４１ｂ，３４１ｂ  短片部
１４１ｃ，２４１ｃ，３４１ｃ  弧状片部
１４２，２４２，３４２  第２挟持体
１４２ａ，２４２ａ，３４２ａ  長片部
１４２ｂ，２４２ｂ，３４２ｂ  短片部
１４２ｂｃ，２４２ｃ，３４２ｃ  弧状片部
１４３，２４３，３４３  支持体
ＪＢ１，ＪＢ２，ＪＢ３，ＪＢ４  電気接続箱
ＪＢ  筐体
Ｗｅ  電線
ＷＨ１，ＷＨ２，ＷＨ３，ＷＨ４  ワイヤハーネス
【図１】
2020021680.tif 000003
【図２】
2020021680.tif 000004
【図３】
2020021680.tif 000005
【図４】
2020021680.tif 000006
【図５】
2020021680.tif 000007
【図６】
2020021680.tif 000008
【図７】
2020021680.tif 000009
【図８】
2020021680.tif 000010
【図９】
2020021680.tif 000011
【図１０】
2020021680.tif 000012
【図１１】
2020021680.tif 000013
【図１２】
2020021680.tif 000014
【図１３】
2020021680.tif 000015
【図１４】
2020021680.tif 000016
【図１５】
2020021680.tif 000017
【図１６】
2020021680.tif 000018
【図１７】
2020021680.tif 000019
【図１８】
2020021680.tif 000020
【図１９】
2020021680.tif 000021
【図２０】
2020021680.tif 000022
【図２１】
2020021680.tif 000023
【図２２】
2020021680.tif 000024